(57)【特許請求の範囲】
【請求項１】
DVB(Digital Video Broadcasting)-C2のL1シグナリングパート２に、緊急警報に関する緊急警報信号を含めたL1シグナリングを生成する生成部を備える
データ処理装置。
【請求項２】
前記緊急警報信号は、1ビット以上の信号である
請求項１に記載のデータ処理装置。
【請求項３】
前記緊急警報信号は、1ビットの信号である
請求項１又は２に記載のデータ処理装置。
【請求項４】
前記緊急警報信号は、前記L1シグナリングパート２のRESERVED_4に含まれる
請求項１ないし３のいずれかに記載のデータ処理装置。
【請求項５】
前記緊急警報信号は、前記L1シグナリングパート２のRESERVED_1，RESERVED_2、又は、RESERVED_3に含まれる
請求項１ないし３のいずれかに記載のデータ処理装置。
【請求項６】
前記緊急警報信号は、前記L1シグナリングパート２のRESERVED_TONEの後に含まれる
請求項１ないし３のいずれかに記載のデータ処理装置。
【請求項７】
DVB(Digital Video Broadcasting)-C2のL1シグナリングパート２に、緊急警報に関する緊急警報信号を含めたL1シグナリングを生成する
ステップを含むデータ処理方法。
【請求項８】
DVB(Digital Video Broadcasting)-C2のL1シグナリングパート２に、緊急警報に関する緊急警報信号を含めたL1シグナリングを生成する生成部を備える
送信装置
から送信されてくるデータから得られる前記L1シグナリングに含まれる前記緊急警報信号を処理する処理部を備える
データ処理装置。
【請求項９】
前記緊急警報信号は、1ビット以上の信号である
請求項８に記載のデータ処理装置。
【請求項１０】
前記緊急警報信号は、1ビットの信号である
請求項８又は９に記載のデータ処理装置。
【請求項１１】
前記緊急警報信号は、前記L1シグナリングパート２のRESERVED_4に含まれる
請求項８ないし１０のいずれかに記載のデータ処理装置。
【請求項１２】
前記緊急警報信号は、前記L1シグナリングパート２のRESERVED_1，RESERVED_2、又は、RESERVED_3に含まれる
請求項８ないし１０のいずれかに記載のデータ処理装置。
【請求項１３】
前記緊急警報信号は、前記L1シグナリングパート２のRESERVED_TONEの後に含まれる
請求項８ないし１０のいずれかに記載のデータ処理装置。
【請求項１４】
DVB(Digital Video Broadcasting)-C2のL1シグナリングパート２に、緊急警報に関する緊急警報信号を含めたL1シグナリングを生成する生成部を備える
送信装置
から送信されてくるデータから得られる前記L1シグナリングに含まれる前記緊急警報信号を処理する
ステップを含むデータ処理方法。
【発明の詳細な説明】
【技術分野】
【０００１】
本技術は、データ処理装置、及び、データ処理方法に関し、例えば、DVB-C2において、緊急警報を、迅速に発することができるようにするデータ処理装置、及び、データ処理方法に関する。
【背景技術】
【０００２】
ケーブルテレビジョン放送の伝送規格としては、例えば、DVB(Digital Video Broadcasting)で規格化された、次世代ケーブルテレビジョン規格であるDVB-C2がある（非特許文献１）。【０００３】
DVB-C2では、高効率な変調方式や符号化方式、PLPバンドリング(PLP(Physical Layer Pipe) bundling)等が規定されている。
【先行技術文献】
【非特許文献】
【０００４】
【非特許文献１】DVB-C.2 :ETSI EN 302 769 V1.2.1 (2011-04)
【発明の概要】
【発明が解決しようとする課題】
【０００５】
現在、日本のケーブルテレビジョン放送に、DVB-C2の導入が検討されている。【０００６】
ところで、日本は、地震が発生する頻度が高く、地震について、緊急警報を、迅速に発することの要請が極めて高い。【０００７】
また、日本でなくても、津波や竜巻等の災害について、緊急警報を、迅速に発することの要請は高い。【０００８】
しかしながら、DVB-C2には、緊急警報に関する緊急警報信号を伝送することについては、規定されていない。【０００９】
本技術は、このような状況に鑑みてなされたものであり、DVB-C2において、緊急警報を、迅速に発することができるようにするものである。
【課題を解決するための手段】
【００１０】
本技術の第１のデータ処理装置は、DVB(Digital Video Broadcasting)-C2のL1シグナリングパート２に、緊急警報に関する緊急警報信号を含めたL1シグナリングを生成する生成部を備えるデータ処理装置である。【００１１】
本技術の第１のデータ処理方法は、DVB(Digital Video Broadcasting)-C2のL1シグナリングパート２に、緊急警報に関する緊急警報信号を含めたL1シグナリングを生成する
ステップを含むデータ処理方法である。【００１２】
本技術の第１のデータ処理装置及びデータ処理方法においては、DVB(Digital Video Broadcasting)-C2のL1シグナリングパート２に、緊急警報に関する緊急警報信号を含めたL1シグナリングが生成される。【００１３】
本技術の第２のデータ処理装置は、DVB(Digital Video Broadcasting)-C2のL1シグナリングパート２に、緊急警報に関する緊急警報信号を含めたL1シグナリングを生成する生成部を備える送信装置から送信されてくるデータから得られる前記L1シグナリングを処理する処理部を備えるデータ処理装置である。【００１４】
本技術の第２のデータ処理方法は、DVB(Digital Video Broadcasting)-C2のL1シグナリングパート２に、緊急警報に関する緊急警報信号を含めたL1シグナリングを生成する生成部を備える送信装置から送信されてくるデータから得られる前記L1シグナリングを処理するステップを含むデータ処理方法である。【００１５】
本技術の第２のデータ処理装置及びデータ処理方法においては、DVB(Digital Video Broadcasting)-C2のL1シグナリングパート２に、緊急警報に関する緊急警報信号を含めたL1シグナリングを生成する生成部を備える送信装置から送信されてくるデータから得られる前記L1シグナリングが処理される。【００１６】
なお、データ処理装置は、独立した装置であっても良いし、１つの装置を構成している内部ブロックであっても良い。
【発明の効果】
【００１７】
本技術によれば、DVB-C2において、緊急警報を、迅速に発することができる。【００１８】
なお、ここに記載された効果は必ずしも限定されるものではなく、本開示中に記載されたいずれかの効果であってもよい。
【図面の簡単な説明】
【００１９】
【図１】本技術を適用した伝送システムの一実施の形態の構成例を示すブロック図である。
【図２】送信装置１１の構成例を示すブロック図である。
【図３】フレーム構成部３０で構成されるC2フレームの構造を示す図である。
【図４】L1シグナリングパート２のフォーマット（シンタクス）を示す図である。
【図５】送信装置１１の処理（送信処理）の例を説明するフローチャートである。
【図６】受信装置１２の構成例を示すブロック図である。
【図７】受信装置１２の処理（受信処理）を説明するフローチャートである。
【図８】本技術を適用したコンピュータの一実施の形態の構成例を示すブロック図である。
【発明を実施するための形態】
【００２０】
＜本技術を適用した伝送システムの一実施の形態＞
【００２１】
図１は、本技術を適用した伝送システム（システムとは、複数の装置が論理的に集合した物をいい、各構成の装置が同一筐体中にあるか否かは、問わない）の一実施の形態の構成例を示すブロック図である。
【００２２】
図１において、伝送システムは、送信装置１１と受信装置１２とを有する。
【００２３】
送信装置１１は、例えば、テレビジョン放送の番組等の送信（ディジタル放送）（データ伝送）を行う。すなわち、送信装置１１は、例えば、番組としての画像データや音声データ等の、送信の対象である対象データのストリームを、例えば、DVB-C2の規格に準拠して、ケーブルテレビジョン網（有線回線）である伝送路１３を介して送信（伝送）する。
【００２４】
受信装置１２は、送信装置１１から伝送路１３を介して送信されてくるデータを受信し、元のストリームに復元して出力する。
【００２５】
なお、図１の伝送システムは、DVB-C2の規格に準拠したデータ伝送の他、DVB-T2やDVB-S2，ATSC(Advanced Television Systems Committee standards)等の規格に準拠したデータ伝送、その他のデータ伝送に適用することができる。
【００２６】
また、伝送路１３としては、ケーブルテレビジョン網の他、衛星回線や地上波等を採用することができる。
【００２７】
＜送信装置１１の構成例＞
【００２８】
図２は、図１の送信装置１１の構成例を示すブロック図である。
【００２９】
図２において、送信装置１１は、データ処理部２１、FEC(Forward Error Correction)部２２、マッピング部２３、データスライスパケット構成部２４、データスライス構成部２５、L1シグナリング生成部２６、FEC部２７、マッピング部２８、プリアンブルヘッダ付加部２９、フレーム構成部３０、IFFT(Inverse Fast Fourier Transform)部３１、DAC(Digital to Analog Converter)３２、及び、変調部３３を有する。
【００３０】
データ処理部２１には、例えば、TS(Transport Stream)等の対象データである実データがPLPとして供給される。
【００３１】
データ処理部２１は、そこに供給される実データ(PLP)に、BB(Base Band)ヘッダを付加すること等によって、BBフレームを構成し、FEC部２２に供給する。
【００３２】
FEC部２２は、データ処理部２１からのBBフレームを対象として、例えば、BCH符号化やLDPC符号化等の誤り訂正符号化を行い、その結果得られるFECフレームを、マッピング部２３に供給する。
【００３３】
マッピング部２３は、FEC部２２からのFECフレームを、所定のビット数であるシンボルの単位で、所定のディジタル直交変調の変調方式で定めるコンスタレーション上の信号点にマッピングし、そのマッピング結果としてのシンボルを、FECフレーム単位で、データスライスパケット構成部２４に供給する。
【００３４】
データスライスパケット構成部２４は、マッピング部２３からのFECフレームの1個又は2個に対して、FECフレームヘッダを付加することで、データスライスパケットを構成する。
【００３５】
ここで、DVB-C2では、FECフレームヘッダが、L1シグナリングパート１(L1 signalling part 1)であり、FECフレームヘッダには、そのFECフレームヘッダが付加されるFECフレームを構成するPLPを識別するPLP_IDや、そのFECフレームのマッピングにおける直交変調の変調方式(MOD)を表すMODCOD、そのFECフレームに施された誤り訂正符号化の符号長等の情報が含まれる。
【００３６】
データスライスパケット構成部２４は、データスライスパケットを構成し、データスライス構成部２５に供給する。
【００３７】
データスライス構成部２５は、データスライスパケット構成部２４からのデータスライスパケットから、データスライスを構成し、フレーム構成部３０に供給する。
【００３８】
L1シグナリング生成部２６は、実データの復調に必要な制御データを含む、DVB-C2のL1シグナリングパート２(L1 signalling part 2)に、緊急警報に関する緊急警報信号を含めたL1シグナリングを生成し、FEC部２７に供給する。
【００３９】
ここで、緊急警報信号としては、1ビット以上の信号を採用することができる。
【００４０】
すなわち、緊急警報信号としては、例えば、地震等の特定の災害の有無を表す1ビットの信号を採用することができる。
【００４１】
また、緊急警報信号としては、例えば、地震や、津波、竜巻等の災害の有無と、その災害の種類とを表す2ビット以上の信号を採用することができる。
【００４２】
さらに、緊急警報信号としては、例えば、地震等の特定の災害の有無と、その災害の規模とを表す2ビット以上の信号を採用することができる。
【００４３】
本実施の形態では、説明を簡単にするため、緊急警報信号として、例えば、1ビットの信号を採用することとする。
【００４４】
FEC部２７は、L1シグナリング生成部２６からのL1シグナリングを対象として、誤り訂正符号化を行い、その誤り訂正符号化結果としてのL1シグナリングを、マッピング部２８に供給する。
【００４５】
マッピング部２８は、FEC部２７からのL1シグナリングを、所定のビット数であるシンボルの単位で、所定のディジタル直交変調の変調方式で定めるコンスタレーション上の信号点にマッピングし、そのマッピング結果としてのL1シグナリング（のシンボル）を、プリアンブルヘッダ付加部２９に供給する。
【００４６】
プリアンブルヘッダ付加部２９は、マッピング部２３からのL1シグナリングの先頭に、プリアンブルヘッダを付加し、その結果得られるプリアンブルシンボルを、フレーム構成部３０に供給する。
【００４７】
ここで、プリアンブルヘッダには、L1シグナリング（L1シグナリングパート２）の長さ等が含まれる。
【００４８】
フレーム構成部３０は、データスライス構成部２５からのデータスライス（のシンボル）と、プリアンブルヘッダ付加部２９からのプリアンブルシンボルとから、C2フレームを構成し、IFFT部３１に供給する。
【００４９】
IFFT部３１は、フレーム構成部３０からのC2フレームのIFFTを行い、その結果得られる信号を、DAC３２に供給する。
【００５０】
DAC３２は、IFFT部３１からの信号をDA変換し、変調部３３に供給する。
【００５１】
変調部３３は、DAC３２からの信号を、RF(Radio Frequency)信号に変調し、伝送路１３（図１）を介して伝送する。
【００５２】
図３は、フレーム構成部３０で構成されるC2フレームの構造を示す図である。
【００５３】
C2フレーム(C2 Frame)は、プリアンブルシンボル(Preamble Symbol(s))とデータシンボル(Data Symbles)とから構成される。
【００５４】
プリアンブルシンボルには、L1シグナリング、すなわち、L1シグナリングパート２(L1 signalling part 2)に、緊急警報信号を含めたものが含まれる。
【００５５】
データシンボルは、データスライス構成部２５（図２）で得られるデータスライスのシンボルである。
【００５６】
図４は、L1シグナリングパート２のフォーマット（シンタクス）を示す図である。
【００５７】
ここで、本実施の形態において、L1シグナリングパート２とは、DVB-C.2 :ETSI EN 302 769 V1.2.1 (2011-04)で規定されているL1 signalling part 2を意味する。
【００５８】
L1シグナリングパート２には、図４において、A1，A2，A3、及び、A4で示す未使用のフィールドRESERVED_1，RESERVED_2，RESERVED_3、及び、RESERVED_4が存在する。
【００５９】
緊急警報信号については、フィールドRESERVED_1，RESERVED_2，RESERVED_3、及び、RESERVED_4のうちのいずれか（の1ビット以上）を、緊急警報用フィールドとして新たに定義し、その緊急警報用フィールドに、緊急警報信号を含めることができる。
【００６０】
ここで、フィールドRESERVED_1は、PLPの数DSLICE_NUM_PLPだけ繰り返されるループの中に存在する。したがって、フィールドRESERVED_1に、緊急警報信号を含める場合には、緊急警報信号が、PLPの数だけ含められることになる。
【００６１】
また、フィールドRESERVED_2は、データスライス(DATA SLICE)の数NUM_DSLICEだけ繰り返されるループの中に存在する。したがって、フィールドRESERVED_2に、緊急警報信号を含める場合には、緊急警報信号が、データスライスの数だけ含められることになる。
【００６２】
さらに、フィールドRESERVED_3は、ノッチ(Notch)の数NUM_NOTCHだけ繰り返されるループの中に存在する。したがって、フィールドRESERVED_3に、緊急警報信号を含める場合には、緊急警報信号が、ノッチの数だけ含められることになる。
【００６３】
また、ノッチは、必ずしも存在するわけではない。したがって、フィールドRESERVED_3に、緊急警報信号を含める場合においては、ノッチが存在しないときには、緊急警報信号を送信することが困難になる。
【００６４】
一方、フィールドRESERVED_4は、フィールドRESERVED_TONEの後に、1個だけ常時存在する。したがって、フィールドRESERVED_4に、緊急警報信号を含める場合には、緊急警報信号を、1個のC2フレームにつき、（何度も送信するのではなく、）1回だけ送信することができる。すなわち、緊急警報信号を、効率的に送信することができる。
【００６５】
なお、緊急警報信号については、L1シグナリングパート２内に、未使用のフィールドRESERVED_1ないしRESERVED_4とは別に、緊急警報用フィールドを追加し、その緊急警報用フィールドに、緊急警報信号を含めることができる。
【００６６】
しかしながら、L1シグナリングパート２内に、未使用のフィールドRESERVED_1ないしRESERVED_4とは別に、緊急警報用フィールドを追加する場合には、現状のDVB-C2に準拠した受信装置の処理に影響を及し、前方互換性が損なわれることがあり得る。
【００６７】
また、緊急警報信号は、L1シグナリングパート２ではなく、実データとしてのTS等に含めることができる。
【００６８】
しかしながら、緊急警報信号を、L1シグナリングパート２ではなく、実データとしてのTS等に含める場合には、受信装置１２において、緊急警報信号を得るのに、C2フレーム（図３）のデータシンボルの復号、及び、TSの復号等が必要となり、送信装置１１で緊急警報信号が送信されてから、受信装置１２で緊急警報信号を得るまでの伝送遅延が大になる。
【００６９】
特に、地震の緊急警報信号については、緊急警報信号の伝送遅延が、1秒でも短いことが強く要請されるため、伝送遅延が大であることは望ましくない。
【００７０】
一方、L1シグナリングパート２は、C2フレームで最初に復号されるため、緊急警報信号の伝送遅延が短い。したがって、緊急警報信号を、L1シグナリングパート２に含めることにより、DVB-C2において、緊急警報を、迅速に発することができる。
【００７１】
図５は、図２の送信装置１１の処理（送信処理）の例を説明するフローチャートである。
【００７２】
送信処理では、ステップＳ１１において、データ処理部２１は、そこに供給される実データに、BBヘッダを付加すること等によって、BBフレームを構成し、FEC部２２に供給して、処理は、ステップＳ１２に進む。
【００７３】
ステップＳ１２では、FEC部２２は、データ処理部２１からのBBフレームを対象として誤り訂正符号化を行い、その結果得られるFECフレームを、マッピング部２３に供給して、処理は、ステップＳ１３に進む。
【００７４】
ステップＳ１３では、マッピング部２３は、FEC部２２からのFECフレームを、シンボルとしての所定のビット数単位で、所定のコンスタレーション上の信号点にマッピングし、そのマッピング結果としてのシンボルを、FECフレーム単位で、データスライスパケット構成部２４に供給して、処理は、ステップＳ１４に進む。
【００７５】
ステップＳ１４では、データスライスパケット構成部２４は、マッピング部２３からのFECフレームに対して、FECフレームヘッダを付加することで、データスライスパケットを構成し、データスライス構成部２５に供給し、処理は、ステップＳ１５に進む。
【００７６】
ステップＳ１５では、データスライス構成部２５は、データスライスパケット構成部２４からのデータスライスパケットから、データスライスを構成し、データシンボルとして、フレーム構成部３０に供給して、処理は、ステップＳ２５に進む。
【００７７】
送信装置１１は、以上のステップＳ１１ないしＳ１５の処理と並列して、ステップＳ２１ないしＳ２４の処理を行う。
【００７８】
すなわち、ステップＳ２１において、L1シグナリング生成部２６は、実データの復調に必要な制御データを含むL1シグナリングパート２に、緊急警報信号を含めたL1シグナリングを生成し、FEC部２７に供給して、処理は、ステップＳ２２に進む。
【００７９】
ステップＳ２２では、FEC部２７は、L1シグナリング生成部２６からのL1シグナリングを対象として、誤り訂正符号化を行い、その誤り訂正符号化結果としてのL1シグナリングを、マッピング部２８に供給して、処理は、ステップＳ２３に進む。
【００８０】
ステップＳ２３では、マッピング部２８は、FEC部２７からのL1シグナリングを、シンボルとしての所定のビット単位で、コンスタレーション上の信号点にマッピングし、そのマッピング結果としてのL1シグナリング（のシンボル）を、プリアンブルヘッダ付加部２９に供給して、処理は、ステップＳ２４に進む。
【００８１】
ステップＳ２４では、プリアンブルヘッダ付加部２９は、マッピング部２３からのL1シグナリングの先頭に、プリアンブルヘッダを付加し、その結果得られるプリアンブルシンボルを、フレーム構成部３０に供給して、処理は、ステップＳ２５に進む。
【００８２】
ステップＳ２５では、フレーム構成部３０は、データスライス構成部２５からのデータスライスのデータシンボルと、プリアンブルヘッダ付加部２９からのプリアンブルシンボルとから、C2フレーム（図３）を構成し、IFFT部３１に供給して、処理は、ステップＳ２６に進む。
【００８３】
ステップＳ２６では、IFFT部３１は、フレーム構成部３０からのC2フレームのIFFTを行い、その結果得られる信号を、DAC３２に供給して、処理は、ステップＳ２７に進む。
【００８４】
ステップＳ２７では、DAC３２は、IFFT部３１からの信号をDA変換し、変調部３３に供給して、処理は、ステップＳ２８に進む。
【００８５】
ステップＳ２８では、変調部３３は、DAC３２からの信号を、RF信号に変調し、伝送路１３（図１）を介して伝送する。
【００８６】
＜受信装置１２の構成例＞
【００８７】
図６は、図１の受信装置１２の構成例を示すブロック図である。
【００８８】
図６において、受信装置１２は、復調部５１、ADC(Analog to Digital Converter)５２、FFT(Fast Fourier Transform)部５３、フレーム分解部５４、データスライス分解部５５、データスライスパケット分解部５６、デマッピング部５７、FEC部５８、データ処理部５９、プリアンブルヘッダ解析部６０、デマッピング部６１、FEC部６２、L1シグナリング処理部６３、及び、緊急警報信号処理部６４を有する。
【００８９】
復調部５１は、送信装置１１から伝送路１３（図１）を介して送信されてくるRF信号を受信する。復調部５１は、RF信号を復調し、その結果得られる復調信号を、ADC５２に供給する。
【００９０】
ADC５２は、復調部５１からの復調信号をAD変換し、その結果得られるディジタル信号を、FFT部５３に供給する。
【００９１】
FFT部５３は、ADC５２からのディジタル信号のFFTを行い、その結果得られるC2フレーム（の信号）を、フレーム分解部５４に供給する。
【００９２】
フレーム分解部５４は、FFT部５３からのC2フレーム（図３）を、データシンボル（データスライスのシンボル）と、プリアンブルシンボルとに分解し、データシンボルを、データスライス分解部５５に供給するとともに、プリアンブルシンボルを、プリアンブルヘッダ解析部６０に供給する。
【００９３】
データスライス分解部５５は、フレーム分解部５４からのデータシンボル、すなわち、データスライス（のシンボル）を、データスライスパケットに分解し、データスライスパケット分解部５６に供給する。
【００９４】
データスライスパケット分解部５６は、データスライス分解部５５からのデータスライスパケットから、FECフレームヘッダを除去することで、データスライスパケットを、FECフレームに分解し、デマッピング部５７に供給する。
【００９５】
ここで、データスライスパケット分解部５６で除去されたFECフレームヘッダに基づいて、変調方式や符号長等が認識され、後段のデマッピング部５７やFEC部５８が制御される。
【００９６】
デマッピング部５７は、データスライスパケット分解部５６からのFECフレーム（のシンボル）のデマッピングを行い、FEC部５８に供給する。
【００９７】
FEC部５８は、デマッピング部５７からのデマッピング後のFECフレームに対して、図２のFEC部２２の誤り訂正符号化に対応する誤り訂正としての誤り訂正符号の復号を行うことで、図２のデータ処理部２１で得られるBBフレームを復元し、データ処理部５９に供給する。
【００９８】
データ処理部５９は、FEC部５８からのBBフレームを分解し、実データを復元して出力する。
【００９９】
プリアンブルヘッダ解析部６０は、フレーム分解部５４からのプリアンブルシンボルに含まれるプリアンブルヘッダを解析することで、そのプリアンブルシンボルに含まれるL1シグナリング（緊急警報信号が含まれるL1シグナリングパート２）の長さを認識し、L1シグナリングを抽出して、デマッピング６１に供給する。
【０１００】
デマッピング部６１は、プリアンブルヘッダ解析部６０からのL1シグナリング（のシンボル）のデマッピングを行い、FEC部６２に供給する。
【０１０１】
FEC部６２は、デマッピング部６１からのデマッピング後のL1シグナリングに対して、図２のFEC部２７の誤り訂正符号化に対応する誤り訂正としての誤り訂正符号の復号を行うことで、図２のL1シグナリング生成部２６で得られるL1シグナリングを復元し、L1シグナリング処理部６３に供給する。
【０１０２】
L1シグナリング処理部６３は、FEC部６２からのL1シグナリングを処理することにより、そのL1シグナリングに含まれる制御データを復元して出力する。この制御データに従って、受信装置１２を構成する各部が制御される。
【０１０３】
また、L1シグナリング処理部６３は、FEC部６２からのL1シグナリングを処理することにより、そのL1シグナリングに含まれる緊急警報信号を復元し、緊急警報信号処理部６４に供給する。
【０１０４】
緊急警報信号処理部６４は、L1シグナリング処理部６３からの緊急警報信号に応じて、緊急警報を出力する。
【０１０５】
すなわち、緊急警報信号処理部６４は、L1シグナリング処理部６３からの緊急警報信号が、例えば、地震が生じたことを表している場合、画像や音等による緊急警報を出力する。
【０１０６】
図７は、図６の受信装置１２の処理（受信処理）を説明するフローチャートである。
【０１０７】
ステップＳ５１において、復調部５１は、RF信号を受信して復調し、その結果得られる復調信号を、ADC５２に供給して、処理は、ステップＳ５２に進む。
【０１０８】
ステップＳ５２では、ADC５２は、復調部５１からの復調信号をAD変換し、その結果得られるディジタル信号を、FFT部５３に供給して、処理は、ステップＳ５３に進む。
【０１０９】
ステップＳ５３では、FFT部５３は、ADC５２からのディジタル信号のFFTを行い、その結果得られるC2フレームを、フレーム分解部５４に供給して、処理は、ステップＳ５４に進む。
【０１１０】
ステップＳ５４では、フレーム分解部５４は、FFT部５３からのC2フレームを、データスライス（データシンボル）と、プリアンブルシンボルとに分解し、データスライスを、データスライス分解部５５に供給するとともに、プリアンブルシンボルを、プリアンブルヘッダ解析部６０に供給して、処理は、ステップＳ５５に進む。
【０１１１】
ステップＳ５５では、プリアンブルヘッダ解析部６０は、フレーム分解部５４からのプリアンブルシンボルに含まれるプリアンブルヘッダを解析して、プリアンブルシンボルから、L1シグナリングを抽出し、デマッピング６１に供給して、処理は、ステップＳ５６に進む。
【０１１２】
ステップＳ５６では、デマッピング部６１は、プリアンブルヘッダ解析部６０からのL1シグナリングのデマッピングを行い、FEC部６２に供給して、処理は、ステップＳ５７に進む。
【０１１３】
ステップＳ５７では、FEC部６２は、デマッピング部６１からのデマッピング後のL1シグナリングに対して誤り訂正を行い、L1シグナリング処理部６３に供給して、処理は、ステップＳ５８に進む。
【０１１４】
ステップＳ５８では、L1シグナリング処理部６３は、FEC部６２からのL1シグナリングを処理することにより、そのL1シグナリングに含まれる制御データを復元して出力する。また、L1シグナリング処理部６３は、FEC部６２からのL1シグナリングを処理することにより、そのL1シグナリングに含まれる緊急警報信号を復元し、緊急警報信号処理部６４に供給する。
【０１１５】
L1シグナリングに含まれる制御データには、データスライス（データシンボル）の復号に必要な情報が含まれており、L1シグナリング処理部６３において、L1シグナリングに含まれる制御データが得られると、その制御データに基づき、データスライス分解部５５ないしデータ処理部５９において、データスライス（データシンボル）の復号が可能になる。
【０１１６】
すなわち、ステップＳ５９において、データスライス分解部５５は、フレーム分解部５４からのデータスライス（のシンボル）を、データスライスパケットに分解し、データスライスパケット分解部５６に供給して、ステップＳ６０に進む。
【０１１７】
ステップＳ６０では、データスライスパケット分解部５６は、データスライス分解部５５からのデータスライスパケットを、FECフレームに分解し、デマッピング部５７に供給して、処理は、ステップＳ６１に進む。
【０１１８】
ステップＳ６１では、デマッピング部５７は、データスライスパケット分解部５６からのFECフレーム（のシンボル）のデマッピングを行い、FEC部５８に供給して、処理は、ステップＳ６２に進む。
【０１１９】
ステップＳ６２では、FEC部５８は、デマッピング部５７からのデマッピング後のFECフレームに対して誤り訂正を行い、その結果得られるBBフレームを、データ処理部５９に供給して、処理は、ステップＳ６３に進む。
【０１２０】
ステップＳ６３では、データ処理部５９は、FEC部５８からのBBフレームを分解し、実データを復元して出力する。
【０１２１】
図２の送信装置１１では、緊急警報信号が、L1シグナリングパート２に含められるので、図６の受信装置１２では、L1シグナリングパート２に含まれている緊急警報信号を、短い伝送遅延で取得することができる。その結果、受信装置１２では、緊急警報を、迅速に発することができる。
【０１２２】
＜本技術を適用したコンピュータの説明＞
【０１２３】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１２４】
そこで、図８は、上述した一連の処理を実行するプログラムがインストールされるコンピュータの一実施の形態の構成例を示している。
【０１２５】
プログラムは、コンピュータに内蔵されている記録媒体としてのハードディスク１０５やROM１０３に予め記録しておくことができる。
【０１２６】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０１２７】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０１２８】
コンピュータは、CPU(Central Processing Unit)１０２を内蔵しており、CPU１０２には、バス１０１を介して、入出力インタフェース１１０が接続されている。
【０１２９】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０１３０】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０１３１】
なお、入力部１０７は、キーボードや、マウス、マイク等で構成される。また、出力部１０６は、LCD(Liquid Crystal Display)やスピーカ等で構成される。
【０１３２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０１３３】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０１３４】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１３５】
なお、本技術の実施の形態は、上述した実施の形態に限定されるものではなく、本技術の要旨を逸脱しない範囲において種々の変更が可能である。
【０１３６】
例えば、本技術は、１つの機能をネットワークを介して複数の装置で分担、共同して処理するクラウドコンピューティングの構成をとることができる。
【０１３７】
また、上述のフローチャートで説明した各ステップは、１つの装置で実行する他、複数の装置で分担して実行することができる。
【０１３８】
さらに、１つのステップに複数の処理が含まれる場合には、その１つのステップに含まれる複数の処理は、１つの装置で実行する他、複数の装置で分担して実行することができる。
【０１３９】
また、本明細書に記載された効果はあくまで例示であって限定されるものではなく、他の効果があってもよい。
【０１４０】
なお、本技術は、以下のような構成をとることができる。
【０１４１】
＜１＞
DVB(Digital Video Broadcasting)-C2のL1シグナリングパート２に、緊急警報に関する緊急警報信号を含めたL1シグナリングを生成する生成部を備える
データ処理装置。
＜２＞
前記緊急警報信号は、1ビット以上の信号である
＜１＞に記載のデータ処理装置。
＜３＞
前記緊急警報信号は、1ビットの信号である
＜１＞又は＜２＞に記載のデータ処理装置。
＜４＞
前記緊急警報信号は、前記L1シグナリングパート２のRESERVED_4に含まれる
＜１＞ないし＜３＞のいずれかに記載のデータ処理装置。
＜５＞
前記緊急警報信号は、前記L1シグナリングパート２のRESERVED_1，RESERVED_2、又は、RESERVED_3に含まれる
＜１＞ないし＜３＞のいずれかに記載のデータ処理装置。
＜６＞
前記緊急警報信号は、前記L1シグナリングパート２のRESERVED_TONEの後に含まれる
＜１＞ないし＜３＞のいずれかに記載のデータ処理装置。
＜７＞
DVB(Digital Video Broadcasting)-C2のL1シグナリングパート２に、緊急警報に関する緊急警報信号を含めたL1シグナリングを生成する
ステップを含むデータ処理方法。
＜８＞
DVB(Digital Video Broadcasting)-C2のL1シグナリングパート２に、緊急警報に関する緊急警報信号を含めたL1シグナリングを生成する生成部を備える
送信装置
から送信されてくるデータから得られる前記L1シグナリングを処理する処理部を備える
データ処理装置。
＜９＞
前記緊急警報信号は、1ビット以上の信号である
＜８＞に記載のデータ処理装置。
＜１０＞
前記緊急警報信号は、1ビットの信号である
＜８＞又は＜９＞に記載のデータ処理装置。
＜１１＞
前記緊急警報信号は、前記L1シグナリングパート２のRESERVED_4に含まれる
＜８＞ないし＜１０＞のいずれかに記載のデータ処理装置。
＜１２＞
前記緊急警報信号は、前記L1シグナリングパート２のRESERVED_1，RESERVED_2、又は、RESERVED_3に含まれる
＜８＞ないし＜１０＞のいずれかに記載のデータ処理装置。
＜１３＞
前記緊急警報信号は、前記L1シグナリングパート２のRESERVED_TONEの後に含まれる
＜８＞ないし＜１０＞のいずれかに記載のデータ処理装置。
＜１４＞
DVB(Digital Video Broadcasting)-C2のL1シグナリングパート２に、緊急警報に関する緊急警報信号を含めたL1シグナリングを生成する生成部を備える
送信装置
から送信されてくるデータから得られる前記L1シグナリングを処理する
ステップを含むデータ処理方法。
【符号の説明】
【０１４２】
１１  送信装置，  １２  受信装置，  １３  伝送路，  ２１  データ処理部，  ２２  FEC部，  ２３  マッピング部，  ２４  データスライスパケット構成部，  ２５  データスライス構成部，  ２６  L1シグナリング生成部，  ２７  FEC部，  ２８  マッピング部，  ２９  プリアンブルヘッダ付加部，  ３０  フレーム構成部，  ３１  IFFT部，  ３２  DAC，  ３３  変調部，  ５１  復調部，  ５２  ADC，  ５３  FFT部，  ５４  フレーム分解部，  ５５  データスライス分解部，  ５６  データスライスパケット分解部，  ５７  デマッピング部，  ５８  FEC部，  ５９  データ処理部，  ６０  プリアンブルヘッダ解析部，  ６１  デマッピング部，  ６２  FEC部，  ６３  L1シグナリング処理部，  ６４  緊急警報信号処理部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
0006451651.tif 000002
【図２】
0006451651.tif 000003
【図３】
0006451651.tif 000004
【図４】
0006451651.tif 000005
【図５】
0006451651.tif 000006
【図６】
0006451651.tif 000007
【図７】
0006451651.tif 000008
【図８】
0006451651.tif 000009